(57)【特許請求の範囲】
【請求項１】
機器に対するユーザーからの操作を受け付ける操作受付部と、
前記機器の動作状態および前記操作受付部で受け付けられた操作内容を表示可能であって、表示内容制御部で決定された表示内容により、二色で構成される画像コンテンツを表示する領域である第一画面領域、および三色以上で構成される画像コンテンツを表示する領域である第二画面領域を液晶の画面上に同時に表示する表示部と、
前記機器の動作状態および前記操作受付部で受け付けられた操作内容から、前記表示部に表示する表示内容を決定する前記表示内容制御部と、
を備え、
前記表示内容制御部は、前記操作受付部で受け付けられた前記ユーザーからの操作内容によって、前記第一画面領域の画像コンテンツの表示内容を変化させるか、または前記第一画面領域および前記第二画面領域の画像コンテンツの表示内容を変化させるかを決定し、
前記表示部は、前記表示内容制御部が前記第一画面領域の画像コンテンツの表示内容を変化させる決定をした場合、前記第一画面領域の画像コンテンツを描画し、前記表示内容制御部が前記第一画面領域および前記第二画面領域の画像コンテンツの表示内容を変化させる決定をした場合、前記第一画面領域の画像コンテンツおよび前記第二画面領域の画像コンテンツを描画し、
前記表示部は、
前記第一画面領域および前記第二画面領域を表示可能な前記液晶と、
前記二色で構成される画像コンテンツを表示するための画像データを記憶する第一のデータベースと、
前記三色以上で構成される画像コンテンツを表示するための画像データを記憶する第二のデータベースと、
前記第一画面領域の画像コンテンツを表示するために使用される画像データを一時的に格納可能な作業用メモリと、
前記第一のデータベースの画像データを用いて、前記第一画面領域の画像コンテンツを前記作業用メモリに描画する第一の描画部と、
前記作業用メモリに描画された画像データのビット数を三色以上の色を表現可能なビット数に変換し、ビット数を変換後の画像データを、前記液晶のメモリに描画するビット数変換部と、
前記第二のデータベースの画像データを用いて、前記第二画面領域の画像コンテンツを前記液晶のメモリに描画する第二の描画部と、
前記表示内容制御部で決定された表示内容から、前記第一の描画部および前記第二の描画部の少なくとも１つに描画を指示する画面描画切替部と、
を備えるリモコン装置。
【請求項２】
前記ビット数変換部は、前記第一画面領域に二色で表示される画面コンテンツの各色の境界部分について、前記二色の間のグラデーションによる補間色を生成してアンチエイリアシング処理を行う、
請求項１に記載のリモコン装置。
【請求項３】
前記画面描画切替部は、前記表示内容制御部が前記第一画面領域の画像コンテンツの表示内容を変化させる決定をした場合、前記第一の描画部に対して描画を指示し、前記表示内容制御部が前記第一画面領域および前記第二画面領域の画像コンテンツの表示内容を変化させる決定をした場合、前記第一の描画部および前記第二の描画部に対して描画を指示する、
請求項１または２に記載のリモコン装置。
【請求項４】
前記表示内容制御部は、前記操作受付部で受け付けられた前記ユーザーからの操作によって、前記第一画面領域において前記機器に対して設定可能な複数の設定値のうち１つ以上の設定値を表示することを決定し、また、前記操作受付部で受け付けられた前記ユーザーからの操作によって、前記第一画面領域に表示する設定値を変更することを決定し、
前記画面描画切替部は、前記第一の描画部に対して、前記複数の設定値のうち前記表示内容制御部で決定された設定値を描画することを指示する、
請求項１から３のいずれか１つに記載のリモコン装置。
【請求項５】
前記画面描画切替部は、前記第一の描画部に対して、前記第一画面領域を複数の領域に分割した分割後の各領域において、表示に使用する二色の組み合わせを異なる組み合わせにすることを指示する、
請求項１から４のいずれか１つに記載のリモコン装置。
【発明の詳細な説明】
【技術分野】
【０００１】
本発明は、空気調和機を操作するリモコン装置および表示方法に関する。
【背景技術】
【０００２】
空気調和機の動作を制御するリモコン装置は、一般的に、現在の運転モードおよび設定温度をユーザーに表示するための表示画面を備えている。近年のリモコン装置には、表示内容をカラーで表示するカラー液晶を用いた表示画面を備えるものがある。カラー液晶を用いたリモコン装置では、モノクロ画面の液晶と比較して表示に必要なデータが多くなる。特許文献１には、組み込み機器におけるカラー液晶を用いたリモコン装置として、グラフィックエンジンを活用してＣＰＵ（Central  Processing  Unit）の処理負荷を低減する技術が開示されている。
【先行技術文献】
【特許文献】
【０００３】
【特許文献１】特許第５３５５５７３号公報
【発明の概要】
【発明が解決しようとする課題】
【０００４】
しかしながら、上記従来の技術によれば、モノクロ液晶を搭載していたリモコン装置において、バージョンアップとしてカラー液晶を使用する場合、画像データの増大によって、画像データを格納するためのメモリ、およびＶＲＡＭ（Video  Random  Access  Memory）など、メモリ使用量が増大する。そのため、液晶を置き換えるだけではなく、ハードウェア構成を高コストなものに変更しなくてはならない、という問題があった。【０００５】
本発明は、上記に鑑みてなされたものであって、メモリ使用量の増大を抑制しつつ、カラー液晶を用いた表示を行うことが可能なリモコン装置を得ることを目的とする。
【課題を解決するための手段】
【０００６】
上述した課題を解決し、目的を達成するために、本発明に係るリモコン装置は、機器に対するユーザーからの操作を受け付ける操作受付部と、機器の動作状態および前記操作受付部で受け付けられた操作内容を表示可能であって、表示内容制御部で決定された表示内容により、二色で構成される画像コンテンツを表示する領域である第一画面領域、および三色以上で構成される画像コンテンツを表示する領域である第二画面領域を液晶の画面上に同時に表示する表示部と、機器の動作状態および前記操作受付部で受け付けられた操作内容から、表示部に表示する表示内容を決定する表示内容制御部と、を備える。表示内容制御部は、操作受付部で受け付けられたユーザーからの操作内容によって、第一画面領域の画像コンテンツの表示内容を変化させるか、または第一画面領域および第二画面領域の画像コンテンツの表示内容を変化させるかを決定する。表示部は、表示内容制御部が第一画面領域の画像コンテンツの表示内容を変化させる決定をした場合、第一画面領域の画像コンテンツを描画し、表示内容制御部が第一画面領域および第二画面領域の画像コンテンツの表示内容を変化させる決定をした場合、第一画面領域の画像コンテンツおよび第二画面領域の画像コンテンツを描画する。表示部は、第一画面領域および第二画面領域を表示可能な液晶と、二色で構成される画像コンテンツを表示するための画像データを記憶する第一のデータベースと、三色以上で構成される画像コンテンツを表示するための画像データを記憶する第二のデータベースと、第一画面領域の画像コンテンツを表示するために使用される画像データを一時的に格納可能な作業用メモリと、第一のデータベースの画像データを用いて、第一画面領域の画像コンテンツを作業用メモリに描画する第一の描画部と、作業用メモリに描画された画像データのビット数を三色以上の色を表現可能なビット数に変換し、ビット数を変換後の画像データを、液晶のメモリに描画するビット数変換部と、第二のデータベースの画像データを用いて、第二画面領域の画像コンテンツを液晶のメモリに描画する第二の描画部と、表示内容制御部で決定された表示内容から、第一の描画部および第二の描画部の少なくとも１つに描画を指示する画面描画切替部と、を備える。
【発明の効果】
【０００７】
本発明に係るリモコン装置は、メモリ使用量の増大を抑制しつつ、カラー液晶を用いた表示を行うことができる、という効果を奏する。
【図面の簡単な説明】
【０００８】
【図１】空調機システムの構成例を示す図
【図２】リモコン装置の画面表示部に表示される全面カラー表示画面群の例を示す図
【図３】リモコン装置の画面表示部に表示されるモノクロ併用画面群の例を示す図
【図４】リモコン装置の画面表示部の構成を示すブロック図
【図５】リモコン装置において空調機の動作を制御する処理を示すフローチャート
【図６】リモコン装置において画面表示部に表示する処理を示すフローチャート
【図７】リモコン装置の処理回路をＣＰＵおよびメモリで構成する場合の例を示す図
【図８】リモコン装置の処理回路を専用のハードウェアで構成する場合の例を示す図
【図９】リモコン装置の画面表示部に表示されるモノクロ併用画面群の第一画面領域の例を示す図
【発明を実施するための形態】
【０００９】
以下に、本発明の実施の形態に係るリモコン装置および表示方法を図面に基づいて詳細に説明する。なお、この実施の形態によりこの発明が限定されるものではない。
【００１０】
実施の形態．
図１は、本発明の実施の形態に係る空調機システム４の構成例を示す図である。空調機システム４は、空調機１と、リモコン装置２と、を備える。空調機１は、通信線３を介してリモコン装置２と接続している。空調機１は、設置された部屋の空調状態を制御する空気調和機である。リモコン装置２は、空調機１の動作を制御する。空調機１は、リモコン装置２と１対１で接続される通信線３を使用せず、空調ネットワークを介してリモコン装置２と接続してもよい。
【００１１】
空調機１の構成について説明する。空調機１は、空調通信部１１と、機器制御部１２と、を備える。空調通信部１１は、通信線３または空調ネットワークを介して、リモコン装置２と通信を行う。機器制御部１２は、冷媒回路、ルーバー、ファンといった空調機１内部のデバイスの動作を制御する。なお、図１の機器制御部１２内に示すデバイスは一例であって、これらに限定されるものではない。
【００１２】
リモコン装置２の構成について説明する。リモコン装置２は、空調通信部２１と、空調運転管理部２２と、インタフェース管理部２３と、画面表示部２４と、操作受付部２５と、を備える。
【００１３】
空調通信部２１は、通信線３または空調ネットワークを介して、空調機１と通信を行う。空調運転管理部２２は、制御対象の空調機１の運転状態を保持し、空調機１の運転状態の切り替えを管理する。空調運転管理部２２は、リモコン装置２が操作対象とする機器の動作状態を管理する機器動作管理部である。インタフェース管理部２３は、空調機１の運転状態、および操作受付部２５を介したユーザーの操作内容などに基づいて、画面表示部２４に表示する内容を決定する。インタフェース管理部２３が決定する画面表示部２４に表示する内容とは、例えば、空調運転管理部２２で管理されている空調機１の運転状態、具体的には「冷房」または「暖房」であり、操作受付部２５で受け付けられたユーザーによる「設定温度」である。インタフェース管理部２３は、機器すなわち空調機１の動作状態および操作受付部２５で受け付けられた操作内容から、画面表示部２４に表示する表示内容を決定する表示内容制御部である。画面表示部２４は、インタフェース管理部２３で決定された表示内容を液晶画面に表示する。画面表示部２４は、機器すなわち空調機１の動作状態および操作受付部２５で受け付けられた操作内容を表示可能な表示部である。操作受付部２５は、ユーザーからの操作の入力を受け付ける。本実施の形態では、操作受付部２５におけるユーザー操作の入力として、タッチパネルを利用する場合について説明する。
【００１４】
リモコン装置２の画面表示部２４に表示される画面コンテンツの例について説明する。画面コンテンツには、カラー、例えば１６ｂｉｔ色の描画要素で画面が構成される全面カラー表示画面群２０、および画面の一部に二色の描画要素を含んで画面が構成されるモノクロ併用画面群１０がある。図２は、本実施の形態に係るリモコン装置２の画面表示部２４に表示される全面カラー表示画面群２０の例を示す図である。また、図３は、本実施の形態に係るリモコン装置２の画面表示部２４に表示されるモノクロ併用画面群１０の例を示す図である。ここで、モノクロで表示するとは描画要素を二色で表示することをいい、カラーで表示するとは、描画要素を三色以上で表示することをいう。
【００１５】
モノクロ併用画面群１０は、二色の描画要素複数個から構成される矩形の画面領域である第一画面領域１０１と、カラーの描画要素を含む第二画面領域１０２と、を有する。第一画面領域１０１を構成する描画要素は、例えば、日付を表示する描画要素１０１ａ、時刻を表示する描画要素１０１ｂ、選択項目の文字列を表示する描画要素群１０１ｃ、選択部分を表すマークを表示する描画要素１０１ｄ、およびタッチ操作の機能を文字列で表示する描画要素群１０１ｅなどである。
【００１６】
ここで、全面カラー表示画面群２０とモノクロ併用画面群１０との区分けについては、例えば、一般のユーザーの使用頻度の高いトップ画面などを全面カラー表示画面群２０とし、一般のユーザーの使用頻度の低い、機器の詳細な設定項目の選択または設定変更を行う画面を含む画面をモノクロ併用画面群１０とすることを想定している。リモコン装置２において、画面表示部２４は、インタフェース管理部２３で決定された表示内容により、二色で構成される画像コンテンツを表示する領域である第一画面領域１０１、および三色以上で構成される画像コンテンツを表示する領域である第二画面領域１０２を液晶の画面上に同時に表示する。
【００１７】
リモコン装置２の画面表示部２４の詳細な構成について説明する。図４は、本実施の形態に係るリモコン装置２の画面表示部２４の構成を示すブロック図である。画面表示部２４は、カラー液晶２４１と、画面描画切替部２４２と、モノクロ描画部２４３と、作業用ＶＲＡＭ２４４と、ビット数変換部２４５と、フルカラー描画部２４６と、モノクロ画像データベース２４７ａと、モノクロ画面構成データベース２４７ｂと、フルカラー画像データベース２４８ａと、フルカラー画面構成データベース２４８ｂと、を備える。
【００１８】
カラー液晶２４１は、１６ｂｉｔ色に対応した１６ｂｉｔＶＲＡＭを内蔵し、表示内容を三色以上のカラー表示が可能な液晶である。カラー液晶２４１は、図３に示すように、第一画面領域１０１および第二画面領域１０２を表示することができる。
【００１９】
画面描画切替部２４２は、インタフェース管理部２３から決定された表示内容を受け取り、インタフェース管理部２３で決定された表示内容から、表示する画面および描画領域に基づいて、フルカラー描画部２４６およびモノクロ描画部２４３の少なくとも１つに描画指示を行う。
【００２０】
モノクロ描画部２４３は、モノクロ画像データベース２４７ａおよびモノクロ画面構成データベース２４７ｂを用いて、第一画面領域１０１の画像コンテンツすなわちモノクロの画面コンテンツを作業用ＶＲＡＭ２４４に描画する。モノクロ描画部２４３は、第一の描画部である。
【００２１】
作業用ＶＲＡＭ２４４は、第一画面領域１０１用に１ピクセル１ｂｉｔで確保したメモリ領域である。作業用ＶＲＡＭ２４４は、第一画面領域１０１の画像コンテンツを表示するために使用される画像データを一時的に格納可能な作業用メモリである。
【００２２】
ビット数変換部２４５は、作業用ＶＲＡＭ２４４に描画された画像データの各ピクセルの１ｂｉｔ色情報を１６ｂｉｔ色情報に変換し、ビット数を変換後の画像データを、カラー液晶２４１内蔵の１６ｂｉｔＶＲＡＭにモノクロの画面コンテンツを描画する。ビット数変換部２４５は、作業用ＶＲＡＭ２４４に描画された描画要素すなわち画像データのビット数を、三色以上の色を表現可能なビット数に変換する。
【００２３】
フルカラー描画部２４６は、フルカラー画像データベース２４８ａおよびフルカラー画面構成データベース２４８ｂを用いて、第二画面領域１０２の画像コンテンツすなわちカラーの画像コンテンツをカラー液晶２４１内蔵の１６ｂｉｔＶＲＡＭに描画する。フルカラー描画部２４６は、第二の描画部である。
【００２４】
モノクロ画像データベース２４７ａは、１ｂｉｔ色すなわちモノクロの画像データを記憶するデータベースである。
【００２５】
モノクロ画面構成データベース２４７ｂは、モノクロ併用画面群１０の第一画面領域１０１の画面構成のデータを記憶するデータベースである。なお、モノクロ画像データベース２４７ａおよびモノクロ画面構成データベース２４７ｂにより、モノクロすなわち二色で構成される画像コンテンツを表示するための画像データを記憶する第一のデータベースを構成する。
【００２６】
フルカラー画像データベース２４８ａは、１６ｂｉｔ色の画像データを記憶するデータベースである。
【００２７】
フルカラー画面構成データベース２４８ｂは、全面カラー表示画面群２０の画面構成のデータ、およびモノクロ併用画面群１０の第二画面領域１０２の画面構成のデータを記憶するデータベースである。なお、フルカラー画像データベース２４８ａおよびフルカラー画面構成データベース２４８ｂにより、三色以上で構成される画像コンテンツを表示するための画像データを記憶する第二のデータベースを構成する。
【００２８】
このように、本実施の形態において、画面表示部２４は、全面カラー表示画面群２０の画面構成のデータをフルカラー画面構成データベース２４８ｂに記憶する。また、画面表示部２４は、モノクロ併用画面群１０の第一画面領域１０１の画面構成のデータをモノクロ画面構成データベース２４７ｂに記憶し、モノクロ併用画面群１０の第二画面領域１０２の画面構成のデータをフルカラー画面構成データベース２４８ｂに記憶する。
【００２９】
つづいて、リモコン装置２の動作について説明する。図５は、本実施の形態に係るリモコン装置２において空調機１の動作を制御する処理を示すフローチャートである。
【００３０】
リモコン装置２において、インタフェース管理部２３は、操作受付部２５で受け付けたユーザーからの操作内容に基づいて、画面表示部２４の表示内容を更新する（ステップＳ１）。リモコン装置２において画面表示部２４に表示する処理の詳細については後述する。
【００３１】
空調通信部２１は、操作受付部２５で受け付けたユーザーの操作をトリガにした空調運転管理部２２の運転状態の変化に基づいて、空調機１に対して、ユーザーの操作内容を反映するための制御信号を送信する（ステップＳ２）。空調機１では、空調通信部１１で制御信号を受け取ると、機器制御部１２は、冷媒回路などを制御して運転状態を変化させる。空調通信部１１は、制御信号に基づいて空調機１での運転状態が変化すると、運転状態の変化をリモコン装置２に通知する。
【００３２】
リモコン装置２において、空調運転管理部２２は、空調機１からの運転状態の変化の通知、例えば異常発生による停止などを、空調通信部２１を介して受け取ると、内部で保持する空調機１の運転状態を更新する（ステップＳ３）。リモコン装置２は、図５に示すステップＳ１からステップＳ３までの処理を繰り返し実行する。
【００３３】
図５のステップＳ１に示す、リモコン装置２において画面表示部２４に表示する処理の詳細について説明する。図６は、本実施の形態に係るリモコン装置２において画面表示部２４に表示する処理を示すフローチャートである。
【００３４】
まず、インタフェース管理部２３は、操作受付部２５へのユーザー操作が有ったか否かを判定する（ステップＳ１１）。インタフェース管理部２３は、操作受付部２５へのユーザー操作が無かった場合（ステップＳ１１：Ｎｏ）、処理を終了する。インタフェース管理部２３は、操作受付部２５へのユーザー操作が有った場合（ステップＳ１１：Ｙｅｓ）、ユーザー操作の内容から表示内容すなわち表示画面を決定し、表示画面の情報を画面表示部２４に伝達する。
【００３５】
画面表示部２４において、画面描画切替部２４２は、インタフェース管理部２３から表示画面の情報を受け取り、表示画面の画面種別がモノクロ併用か否か、すなわちモノクロ併用か全面カラーかどうかを判断する（ステップＳ１２）。画面描画切替部２４２は、表示画面の画面種別がモノクロ併用か、または全面カラーかによって処理の内容を切り替える。なお、画面描画切替部２４２では、各表示画面の画面種別は予め画面番号と画面種別とを組にしたデータとして設定されているものとする。画面描画切替部２４２には、例えば、「トップ画面は全面カラー、設定画面はモノクロ併用」、または「一般操作画面は全面カラー、メンテナンス画面はモノクロ併用」といった定義が設定されていることを想定する。
【００３６】
画面描画切替部２４２は、モノクロ併用ではない、すなわち全面カラーの場合（ステップＳ１２：Ｎｏ）、表示画面の情報または前述の画面番号の情報とともに、フルカラー描画部２４６に対して描画指示を出す。
【００３７】
フルカラー描画部２４６は、描画指示に基づく表示画面に該当する画面構成データをフルカラー画面構成データベース２４８ｂから読み出す。また、フルカラー描画部２４６は、読み出した画面構成データから参照されるフルカラー画像データをフルカラー画像データベース２４８ａから読み出す。フルカラー描画部２４６は、読み出した画面構成データおよびフルカラー画像データを用いて、１６ｂｉｔ色で表示画面の画面全体をカラー液晶２４１の１６ｂｉｔＶＲＡＭに描画する（ステップＳ１３）。画面表示部２４は、カラー液晶２４１に描画後、すなわち表示画面のデータの書き込み完了後、処理を終了する。
【００３８】
画面描画切替部２４２は、モノクロ併用の場合（ステップＳ１２：Ｙｅｓ）、表示する画面が前回から切り替わっているか否かを判定する（ステップＳ１４）。ここで、表示画面が切り替わっている場合については、第二画面領域１０２に表示される内容が更新されている場合を想定している。表示画面が切り替わっていない場合でも、第一画面領域１０１に表示される内容は更新されているものとする。
【００３９】
画面描画切替部２４２は、表示する画面が前回から切り替わっている場合（ステップＳ１４：Ｙｅｓ）、フルカラー描画部２４６に対して、表示画面の情報または前述の画面番号の情報とともに、モノクロ併用画面群１０の第二画面領域１０２の描画指示を出す。また、画面描画切替部２４２は、モノクロ描画部２４３に対して、表示画面の情報または前述の画面番号の情報とともに、モノクロ併用画面群１０の第一画面領域１０１の描画指示を出す。
【００４０】
フルカラー描画部２４６は、描画指示に基づく表示画面に該当するモノクロ併用画面群１０の第二画面領域１０２の画面構成データをフルカラー画面構成データベース２４８ｂから読み出す。また、フルカラー描画部２４６は、読み出したモノクロ併用画面群１０の第二画面領域１０２の画面構成データから参照されるフルカラー画像データをフルカラー画像データベース２４８ａから読み出す。フルカラー描画部２４６は、読み出した画面構成データおよびフルカラー画像データを用いて、１６ｂｉｔ色でモノクロ併用画面群１０の第二画面領域１０２の描画要素をカラー液晶２４１の１６ｂｉｔＶＲＡＭに描画する（ステップＳ１５）。
【００４１】
なお、表示する画面が前回から切り替わっていない場合（ステップＳ１４：Ｎｏ）、画面描画切替部２４２は、モノクロ描画部２４３に対してのみ、表示画面の情報または前述の画面番号の情報とともに、モノクロ併用画面群１０の第一画面領域１０１の描画指示を出す。この場合、画面描画切替部２４２でのフルカラー描画部２４６に対する描画指示、およびフルカラー描画部２４６での描画処理は省略される。リモコン装置２において、操作受付部２５は、ユーザーからの操作を受け付ける。インタフェース管理部２３は、操作受付部２５で受け付けられたユーザーからの操作内容によって、第一画面領域１０１の画像コンテンツの表示内容を変化させるか、または第一画面領域１０１および第二画面領域１０２の画像コンテンツの表示内容を変化させるかを決定する。操作内容とは、例えば、図３の描画要素群１０１ｅで示される「戻る」、「上」、「下」などの選択操作である。画面表示部２４において、画面描画切替部２４２は、インタフェース管理部２３が第一画面領域１０１の画像コンテンツの表示内容を変化させる決定をした場合、モノクロ描画部２４３に対して描画を指示する。または、画面描画切替部２４２は、インタフェース管理部２３が第一画面領域１０１および第二画面領域１０２の画像コンテンツの表示内容を変化させる決定をした場合、モノクロ描画部２４３およびフルカラー描画部２４６に対して描画を指示する。
【００４２】
モノクロ描画部２４３は、描画指示に基づく表示画面に該当するモノクロ併用画面群１０の第一画面領域１０１の画面構成データをモノクロ画面構成データベース２４７ｂから読み出す。また、モノクロ描画部２４３は、読み出したモノクロ併用画面群１０の第一画面領域１０１の画面構成データから参照されるモノクロ画像データをモノクロ画像データベース２４７ａから読み出す。モノクロ描画部２４３は、読み出した画面構成データおよびモノクロ画像データを用いて、モノクロでモノクロ併用画面群１０の第一画面領域１０１の描画要素を作業用ＶＲＡＭ２４４に描画する（ステップＳ１６）。
【００４３】
ビット数変換部２４５は、作業用ＶＲＡＭ２４４に描画されたモノクロ併用画面群１０の第一画面領域１０１の描画要素の各ピクセルの１ｂｉｔ色情報を、予め記憶されたカラー変換定義に従って１６ｂｉｔ色情報に変換する。カラー変換定義とは、例えば、１ｂｉｔの「０」は白：０ｘ００００に変換し、「１」は青：０ｘ００１Ｆに変換する定義である。ビット数変換部２４５は、１ｂｉｔ色情報から１６ｂｉｔ色情報に変換したモノクロ併用画面群１０の第一画面領域１０１の描画要素を、カラー液晶２４１の１６ｂｉｔＶＲＡＭに描画する（ステップＳ１７）。画面表示部２４は、カラー液晶２４１に描画後、すなわち表示画面のデータの書き込み完了後、処理を終了する。
【００４４】
リモコン装置２がモノクロ併用画面群１０の第一画面領域１０１に表示する内容については、図３に示すように、機器の設定を行う画面などがある。リモコン装置２において、操作受付部２５は、ユーザーからの操作を受け付ける。インタフェース管理部２３は、操作受付部２５で受け付けられたユーザーからの操作によって、第一画面領域１０１において、機器すなわち空調機１に対して設定可能な複数の設定値のうち１つ以上の設定値を表示することを決定する。また、インタフェース管理部２３は、操作受付部２５で受け付けられたユーザーからの操作によって、第一画面領域１０１に表示する設定値を変更することを決定する。画面表示部２４において、画面描画切替部２４２は、モノクロ描画部２４３に対して、複数の設定値のうちインタフェース管理部２３で決定された設定値を描画することを指示する。
【００４５】
このように、リモコン装置２は、例えば、操作頻度が高い操作、または表示画面の一部分のみが変化する操作に対して第一画面領域１０１のみを対象にして表示制御を行う。リモコン装置２は、第一画面領域１０１用に使用される作業用メモリである作業用ＶＲＡＭ２４４に、操作内容を示す画像データを一度描画し、描画が完了した画像データをビット数変換部２４５でビット変換してからカラー液晶２４１に描画する。リモコン装置２は、表示途中の画像データをカラー液晶２４１に転送、すなわち描画することを回避する。これにより、リモコン装置２は、カラー液晶２４１の全領域および全色数に対応した、例えば、１ピクセル１６ビットの作業用メモリを用いる場合と比較して、領域が小さく色数の少ない、例えば、１ピクセル１ビットの作業用ＶＲＡＭ２４４を作業メモリとして用いることで、カラー液晶２４１におけるチラつきを防止できる。
【００４６】
なお、本実施の形態では、リモコン装置２による操作対象の機器を空調機１としていたが、一例であり、これに限定されるものではない。本実施の形態において説明したリモコン装置２については、空調機１以外の機器を制御するリモコン装置にも適用可能である。
【００４７】
つづいて、リモコン装置２のハードウェア構成について説明する。リモコン装置２において、空調通信部２１は、有線または無線による通信が可能なインタフェース回路により実現される。操作受付部２５および画面表示部２４のカラー液晶２４１はタッチパネルにより実現される。画面表示部２４の作業用ＶＲＡＭ２４４、モノクロ画像データベース２４７ａ、モノクロ画面構成データベース２４７ｂ、フルカラー画像データベース２４８ａ、およびフルカラー画面構成データベース２４８ｂは、メモリにより実現される。空調運転管理部２２、インタフェース管理部２３、画面表示部２４の画面描画切替部２４２、モノクロ描画部２４３、ビット数変換部２４５、およびフルカラー描画部２４６は、処理回路により実現される。すなわち、リモコン装置２は、表示内容を決定し、表示を行うための処理回路を備える。処理回路は、専用のハードウェアであってもよいし、メモリに格納されるプログラムを実行するＣＰＵおよびメモリであってもよい。
【００４８】
図７は、本実施の形態に係るリモコン装置２の処理回路をＣＰＵおよびメモリで構成する場合の例を示す図である。処理回路がＣＰＵ９１およびメモリ９２で構成される場合、リモコン装置２の各機能は、ソフトウェア、ファームウェア、またはソフトウェアとファームウェアとの組み合わせにより実現される。ソフトウェアまたはファームウェアはプログラムとして記述され、メモリ９２に格納される。処理回路では、メモリ９２に記憶されたプログラムをＣＰＵ９１が読み出して実行することにより、各機能を実現する。すなわち、リモコン装置２は、表示内容を決定するステップ、表示を行うステップが結果的に実行されることになるプログラムを格納するためのメモリ９２を備える。また、これらのプログラムは、リモコン装置２の手順および方法をコンピュータに実行させるものであるともいえる。ここで、ＣＰＵ９１は、処理装置、演算装置、マイクロプロセッサ、マイクロコンピュータ、プロセッサ、またはＤＳＰ（Digital  Signal  Processor）などであってもよい。また、メモリ９２とは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００４９】
図８は、本実施の形態に係るリモコン装置２の処理回路を専用のハードウェアで構成する場合の例を示す図である。処理回路が専用のハードウェアである場合、図８に示す処理回路９３は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。リモコン装置２の各機能を機能別に処理回路９３で実現してもよいし、各機能をまとめて処理回路９３で実現してもよい。
【００５０】
なお、リモコン装置２の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００５１】
以上説明したように、本実施の形態によれば、リモコン装置２では、カラー液晶を用いる機種においてユーザーの使用頻度の少ない画面について、一部をモノクロ表示にすることで、画像データなどの表示内容を記憶するためのメモリ、および作業用のメモリの使用量の増大を抑制することができる。これにより、リモコン装置２では、モノクロ液晶を使用した機種からカラー液晶を搭載した機種への移行を低コストで実現できる。また、リモコン装置２では、リフレッシュレートの高いカラー液晶を、処理性能の低いマイコンで表示制御する場合に問題となる、１つの画面を描画している途中の状態が液晶に表示されてしまうチラつきの現象に対して、少ないメモリ使用量で対策が可能となる。
【００５２】
なお、本実施の形態では、リモコン装置２が、第一画面領域１０１を１ｂｉｔ色のモノクロで描画する場合について説明したが、基本となる二色とその境界を二色間のグラデーションで補完する色、すなわち補完色で描画してもよい。この場合、ビット数変換部２４５は、第一画面領域１０１に二色で表示される画面コンテンツの各色の境界部分について、作業用ＶＲＡＭ２４４からカラー液晶２４１の１６ｂｉｔＶＲＡＭにビット数すなわち色を変換して書き込む際、二色間のグラデーションによる補間色を生成して、補完色を用いてアンチエイリアシング処理を行う。ビット数変換部２４５は、例えば、１ｂｉｔの「０」は白：０ｘ００００、「１」は青：０ｘ００１Ｆとしてビット数を変換する場合に、補完色として０ｘ００１４、０ｘ０００Ａの二色を用いる。ビット数変換部２４５は、各ピクセルに対して、周囲８ピクセルにおける１の数に応じて、０〜１：０ｘ００００、２〜４：０ｘ０００Ａ、５〜７：０ｘ００１４、８〜９：０ｘ００１Ｆのようにして使用する色を決定する。これにより、リモコン装置２では、作業用ＶＲＡＭ２４４の容量、および表示用のデータを増やすことなく、カラー液晶の色数を生かした滑らかな輪郭を実現できる。
【００５３】
また、本実施の形態では、リモコン装置２が、第一画面領域１０１を全て同一の色変換、例えば、「０」は白：０ｘ００００、「１」は青：０ｘ００１Ｆに変換して描画する場合について説明したが、第一画面領域１０１を複数の矩形領域に分割し、表示する二色の組み合わせを各領域によって切り替えてもよい。図９は、本実施の形態に係るリモコン装置２の画面表示部２４に表示されるモノクロ併用画面群１０の第一画面領域１０１の例を示す図である。例えば、図９のように、ヘッダ部分の領域＃１については「０」は白：０ｘ００００、「１」は青：０ｘ００１Ｆとし、中央の領域＃２およびフッタ部分の領域＃３については、「０」は黒：０ｘＦＦＦＦ、「１」は白：０ｘ００００とする。画面描画切替部２４２は、モノクロ描画部２４３に対して、第一画面領域１０１を複数の領域に分割した分割後の各領域において、表示に使用する二色の組み合わせを異なる組み合わせにすることを指示する。ビット数変換部２４５は、作業用ＶＲＡＭ２４４の描画要素のビット数を変換するときの変換色を換えて、変換後の描画要素をカラー液晶２４１の１６ｂｉｔＶＲＡＭに描画する。これにより、リモコン装置２では、第一画面領域１０１の領域ごとの色変換定義を追加で記憶するだけで、簡易的な色付けを実現でき、作業用ＶＲＡＭ２４４の容量、および表示用のデータを増やすことなく、領域の意味に応じた色付けによる視認性向上を実現できる。また、リモコン装置２では、領域を高さ方向または幅方向のいずれかのみに応じて分割し、第一画面領域１０１での領域判定を簡素化することができ、性能の低いＣＰＵでも色付けが可能となる。図９の例は、高さ方向に領域を３分割している例である。
【００５４】
また、本実施の形態では、ビット数変換部２４５は、作業用ＶＲＡＭ２４４の内容をそのままの大きさでカラー液晶２４１の１６ｂｉｔＶＲＡＭに書き込んでいるが、拡大処理を行って書き込むようにしてもよい。ビット数変換部２４５は、特に、低い性能のＣＰＵでも処理可能な拡大処理について、バイリニア法を固定倍率拡大として、周囲４ピクセルを含めた５ピクセルの色（１，０）の全組み合わせに対して予め計算した色をテーブルとして記憶しておくことで、高速に拡大処理を実現できる。これにより、リモコン装置２では、カラー液晶２４１の第一画面領域１０１の解像度よりも小さいサイズで作業用ＶＲＡＭ２４４を用いることができ、メモリ使用量を低減することができる。
【００５５】
また、本実施の形態では、カラー液晶２４１が１６ｂｉｔＶＲＡＭを内蔵している構成としているが、一例であり、カラー液晶２４１は１６ｂｉｔＶＲＡＭを内蔵しない構成としてもよい。この場合、リモコン装置２は、カラー液晶２４１の表示タイミングに合わせて描画信号を制御する液晶表示制御部を有し、１６ｂｉｔＶＲＡＭとしてＣＰＵ付属のメモリ、または液晶表示制御部に内蔵されたメモリを使用する構成としてもよい。
【００５６】
また、本実施の形態では、リモコン装置２は、モノクロ併用画面群１０において第二画面領域１０２にフルカラーの画像を描画しているが、第二画面領域１０２の描画を行わず、前画面のときに使用され、カラー液晶２４１の１６ｂｉｔＶＲＡＭに描画されている画像データをそのまま保持して利用してもよい。
【００５７】
また、本実施の形態では、リモコン装置２は、第二画面領域１０２の描画を画面切り替え時のみとしているが、第二画面領域１０２に変化する描画要素を有している場合、画面切り替えがなくても変化した部分の描画要素について描画を行ってもよい。この場合、リモコン装置２は、カラー液晶２４１の描画周期の間すなわちブランキング期間に描画する処理を入れることで、描画途中が見えないようにする必要がある。
【００５８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００５９】
１  空調機、２  リモコン装置、３  通信線、４  空調機システム、１１，２１  空調通信部、１２  機器制御部、２２  空調運転管理部、２３  インタフェース管理部、２４  画面表示部、２５  操作受付部、２４１  カラー液晶、２４２  画面描画切替部、２４３  モノクロ描画部、２４４  作業用ＶＲＡＭ、２４５  ビット数変換部、２４６  フルカラー描画部、２４７ａ  モノクロ画像データベース、２４７ｂ  モノクロ画面構成データベース、２４８ａ  フルカラー画像データベース、２４８ｂ  フルカラー画面構成データベース。
【図１】
0006667647.tif 000002
【図２】
0006667647.tif 000003
【図３】
0006667647.tif 000004
【図４】
0006667647.tif 000005
【図５】
0006667647.tif 000006
【図６】
0006667647.tif 000007
【図７】
0006667647.tif 000008
【図８】
0006667647.tif 000009
【図９】
0006667647.tif 000010